(57)【要約】【課題】  同一ページの画像情報が相互に類似する複数の画像情報群を、効果的に圧縮および伸張する画像圧縮伸張システムを実現すること。【解決手段】  画像処理装置に差分圧縮部、そして印刷装置に差分伸張部を設け、差分圧縮部で、図１（Ａ）に示すように、画像情報群と基準画像情報群との同一ページごとの差分から差分画像情報群を生成し、差分伸張部で、図１（Ｂ）に示すように、この差分画像情報群と基準画像情報群との同一ページごとの加算から元の画像情報群を復元するようにしているので、バリアブル印刷等の同一ページごとに類似する複数のビットマップ状の画像情報群を、効果的に差分圧縮し、印刷装置にある記憶部の記憶容量の軽減あるいは低価格化を図ることができる。【選択図】        図１
2005167537.tif 000002
【特許請求の範囲】
【請求項１】
複数ページの画像情報を含む複数の画像情報群が存在し、複数の前記画像情報群の同一ページの画像情報が、相互に類似する画像圧縮伸張システムであって、
前記画像情報群と、前記画像情報群の中の基準となる基準画像情報群との同一ページごとの差分により、差分画像情報群を生成する圧縮手段と、
前記基準画像情報群と、前記差分画像情報群との同一ページごとの加算により、前記画像情報群の復元を行う伸張手段と、
を備えることを特徴とする画像圧縮伸張システム。
【請求項２】
前記圧縮手段は、前記差分画像情報群を、符号化して圧縮する画像圧縮部を備えることを特徴とする請求項１に記載の画像圧縮伸張システム。
【請求項３】
前記伸張手段は、前記圧縮された差分画像情報群を伸張する画像伸張部を備えることを特徴とする請求項２に記載の画像圧縮伸張システム。
【請求項４】
前記圧縮手段は、前記生成の後に、前記基準画像情報群を画像圧縮することを特徴とする請求項１ないし３のいずれか１つに記載の画像圧縮伸張システム。
【請求項５】
前記伸張手段は、前記復元の前に、前記画像圧縮された前記基準画像情報群の伸張を行うことを特徴とする請求項４に記載の画像圧縮伸張システム。
【請求項６】
前記画像情報群は、バリアブル印刷の際のテンプレート群であることを特徴とする請求項１ないし５のいずれか１つに記載の画像圧縮伸張システム。
【請求項７】
前記圧縮手段は、前記画像圧縮伸張システムが、通信回線を介して接続される画像処理装置および印刷装置を含む際に、前記画像処理装置に内蔵されることを特徴とする請求項１ないし６のいずれか１つに記載の画像圧縮伸張システム。
【請求項８】
前記伸張手段は、前記印刷装置に内蔵されることを特徴とする請求項７に記載の画像圧縮伸張システム。
【発明の詳細な説明】
【技術分野】
【０００１】
この発明は、同一ページの画像情報が相互に類似する複数の画像情報群を有する画像圧縮伸張システムに関する。
【背景技術】
【０００２】
近年、データベースに印刷データを保存し、これら印刷データを印刷装置により印刷することが行われる。この際、印刷データは、ラスタライズにより印刷可能な画像情報に変換された後に印刷される。この画像情報は、大きな記憶容量を有するものであり、機密保護およびメモリ容量の削減の観点から、画像圧縮および伸張が行われる（例えば、特許文献１参照）。ここでは、一連のページからなる画像情報間での差分および差分情報の符号化によりデータ圧縮が行われ、符号の復元および加算によりデータ伸張が行われる。
【０００３】
一方、コンピュータソフトウェアの発展に伴い、複数ページに渡る定型のテンプレートからなる書類情報等の画像情報群に、ページごとに部分的に異なる情報を付加して印刷するバリアブル印刷が、頻繁に行われるようになっている。この印刷では、ページごとに部分的に異なる類似の画像情報群が大量に印刷される。
【特許文献１】特開２０００―３５００４２号公報、（第１頁、図３）
【発明の開示】
【発明が解決しようとする課題】
【０００４】
しかしながら、上記背景技術によれば、同一ページの画像情報が相互に類似する複数の画像情報群、例えばバリアブル印刷等では、効果的な圧縮をすることができない。すなわち、バリアブル印刷等の画像情報群では、一連のページ間では、画像情報の類似性は、あまり見られず、従って、差分による画像圧縮効果が小さい。
【０００５】
特に、バリアブル印刷のように、多くの画像情報群の印刷を行う際には、ラスタライズ後の画像情報量は、極めて大きなものとなり、画像圧縮効果の良否は、正常動作および必要メモリ容量の削減の観点から重要なものとなる。
【０００６】
これらのことから、同一ページの画像情報が相互に類似する複数の画像情報群を、効果的に圧縮および伸張する画像圧縮伸張システムをいかに実現するかが重要となる。
【０００７】
この発明は、上述した背景技術による課題を解決するためになされたものであり、同一ページの画像情報が相互に類似する複数の画像情報群を、効果的に圧縮および伸張する画像圧縮伸張システムを提供することを目的とする。
【課題を解決するための手段】
【０００８】
上述した課題を解決し、目的を達成するために、請求項１に記載の発明にかかる画像圧縮伸張システムは、複数ページの画像情報を含む複数の画像情報群が存在し、複数の前記画像情報群の同一ページの画像情報が、相互に類似する画像圧縮伸張システムであって、前記画像情報群と、前記画像情報群の中の基準となる基準画像情報群との同一ページごとの差分により、差分画像情報群を生成する圧縮手段と、前記基準画像情報群と、前記差分画像情報群との同一ページごとの加算により、前記画像情報群の復元を行う伸張手段と、を備えることを特徴とする。
【０００９】
この請求項１に記載の発明では、圧縮手段により、画像情報群と、画像情報群の中の基準となる基準画像情報群との同一ページごとの差分を行い、差分画像情報群を生成し、伸張手段により、基準画像情報群と、差分画像情報群との同一ページごとの加算を行い、画像情報群の復元を行う。
【００１０】
また、請求項２に記載の発明にかかる画像圧縮伸張システムは、前記圧縮手段が、前記差分画像情報群を、符号化して圧縮する画像圧縮部を備えることを特徴とする。
【００１１】
この請求項２に記載の発明では、圧縮手段は、画像圧縮部により、差分画像情報群を、符号化して圧縮する。
【００１２】
また、請求項３に記載の発明にかかる画像圧縮伸張システムは、前記伸張手段が、前記圧縮された差分画像情報群を伸張する画像伸張部を備えることを特徴とする。
【００１３】
この請求項３に記載の発明では、伸張手段は、画像伸張部により、圧縮された差分画像情報群を伸張する。
【００１４】
また、請求項４に記載の発明にかかる画像圧縮伸張システムは、前記圧縮手段が、前記生成の後に、前記基準画像情報群を画像圧縮することを特徴とする。
【００１５】
この請求項４に記載の発明では、圧縮手段は、差分画像情報を生成の後に、さらに基準画像情報群を画像圧縮する。
【００１６】
また、請求項５に記載の発明にかかる画像圧縮伸張システムは、前記伸張手段が、前記復元の前に、前記画像圧縮された前記基準画像情報群の伸張を行うことを特徴とする。
【００１７】
この請求項５に記載の発明では、伸張手段は、画像情報群の復元の前に、さらに画像圧縮された基準画像情報群の伸張を行う。
【００１８】
また、請求項６に記載の発明にかかる画像圧縮伸張システムは、画像情報群が、バリアブル印刷の際のテンプレート群であることを特徴とする。
【００１９】
この請求項６に記載の発明では、画像情報群は、バリアブル印刷の際のテンプレート群であるので、同一ページで高い類似性を有する。
【００２０】
また、請求項７に記載の発明にかかる画像圧縮伸張システムは、前記圧縮手段が、通信回線を介して接続される画像処理装置および印刷装置を含む画像圧縮伸張システムである際に、前記画像処理装置に内蔵されることを特徴とする。
【００２１】
この請求項７に記載の発明では、圧縮手段を、画像処理装置に内蔵する。
【００２２】
また、請求項８に記載の発明にかかる画像圧縮伸張システムは、前記伸張手段が、前記印刷装置に内蔵されることを特徴とする。
【００２３】
この請求項８に記載の発明では、伸張手段を、印刷装置に内蔵する。
【発明の効果】
【００２４】
以上説明したように、請求項１に記載の発明によれば、圧縮手段により、画像情報群と、画像情報群の中の基準となる基準画像情報群との同一ページごとの差分を行い、差分画像情報群を生成し、伸張手段により、基準画像情報群と、差分画像情報群との同一ページごとの加算を行い、画像情報群の復元を行うこととしているので、類似する同一ページの画像情報から、小さな記憶容量の差分画像情報を求め、効果的な画像情報群の圧縮を行い、ひいては、メモリの容量の軽減および低価格化を行うことができる。
【００２５】
請求項２に記載の発明によれば、圧縮手段は、画像圧縮部により、差分画像情報群を、符号化して圧縮することとしているので、さらにメモリの容量の軽減を行い、かつ画像情報の機密保持を行うことができる。
【００２６】
請求項３に記載の発明によれば、伸張手段は、画像伸張部により、圧縮された差分画像情報群を伸張することとしているので、差分画像情報群を用いた画像情報群の復元を行うことができる。
【００２７】
請求項４に記載の発明によれば、圧縮手段は、差分画像情報を生成の後に、さらに基準画像情報群を画像圧縮することとしているので、さらなるメモリの容量の軽減を行うことができる。
【００２８】
請求項５に記載の発明によれば、伸張手段は、画像情報群の復元の前に、さらに画像圧縮された基準画像情報群の伸張を行うこととしているので、基準画像情報群を用いた画像情報群の復元を行うことができる。
【００２９】
請求項６に記載の発明によれば、画像情報群は、バリアブル印刷の際のテンプレート群であるので、同一ページで高い類似性を有し、さらに効果的な画像情報群の圧縮を行うことができる。
【００３０】
請求項７に記載の発明によれば、圧縮手段を、画像処理装置に内蔵することとしているので、他の装置に画像情報群を転送する際に、短い時間で終了することができる。
【００３１】
請求項８に記載の発明によれば、伸張手段を、印刷装置に内蔵することとしているので、画像情報群を記憶するメモリの容量を軽減することできる。
【発明を実施するための最良の形態】
【００３２】
以下に添付図面を参照して、この発明にかかる画像圧縮伸張システムを実施するための最良の形態について説明する。なお、これにより本発明が限定されるものではない。
【００３３】
まず、本実施の形態にかかる画像圧縮伸張システムの全体構成について説明する。図２は、本実施の形態にかかる画像圧縮伸張システム１の全体構成を示すブロック図である。画像圧縮伸張システム１は、ＰＣ３００、画像処理装置１００、印刷装置２００、ＰＣ３００と画像処理装置１００を接続する汎用通信回線４０、画像処理装置１００と印刷装置２００を接続する専用通信回線１２および画像処理装置１００に付属する操作パネル１１を含む。
【００３４】
ＰＣ３００は、汎用のパーソナルコンピュータで、利用者は文書の作成ソフトウェア等を用いて、ページ単位の画像情報を複数作成する。なお、ここでは、典型的な例としてバリアブル印刷を行う場合を考えるが、本発明は、バリアブル印刷に限定されない。
【００３５】
バリアブル印刷においては、ＰＣ３００は、複数ページに渡る文書テンプレートおよびこれら文書テンプレートに埋め込む添付情報を有する。これら文書テンプレートは、定型の紹介状、案内状あるいは契約書等のものであり、添付情報は、定型の紹介状、案内状あるいは契約書等で個別に異なる、関連する人名あるいは日付等の固有の情報からなる。
【００３６】
ここで、ＰＣ３００は、文書テンプレートおよび添付情報から、文書テンプレートに添付情報が埋め込まれた完全な紹介状、案内状あるいは契約書等を、画像情報群として生成する。なお、この画像情報群の量は、例えば、案内状で添付情報に多数の配布先の人名を有する場合には、極めて大きなものとなる。なお、これら画像情報群は、文字コード、例えばＡＳＣコード等で生成および保存される。
【００３７】
画像処理装置１００は、汎用通信回線４０を介してＰＣ３００から受信した文字コードの画像情報群を、ラスタライズにより、印刷に適したビットマップに変換する。なお、この際、階調ビットの低減による誤差拡散処理等の画像処理も同時に行われる。また、ここでは、ビットマップ変換により記憶容量が増大するので、画像情報群の圧縮も行われる。
【００３８】
操作パネル１１は、画像処理装置１００に接続され、ＬＣＤ等の表示装置およびキーボードまたはタッチパネル等の入力装置を含む。これにより、画像処理装置１００に入力された画像情報群の制御情報の入力およびモニタリングを行う。
【００３９】
印刷装置２００は、専用通信回線１２を介して画像処理装置１００から、圧縮された画像情報群を受信する。これら圧縮された画像情報群は、伸張により復元され、その後で印刷される。これにより、ＰＣ３００で生成された画像情報群が、記録紙等に印刷される。
【００４０】
図３は、画像処理装置１００の構成を示す機能ブロック図である。画像処理装置１００は、圧縮手段１０２、基準画像情報記憶部１０４、記憶部１０５、印刷装置Ｉ／Ｆ部１０７、ネットワークＩ／Ｆ部１０８、管理部１０９、ラスタライズ処理部１１０およびバス１１１を含む。ここで、圧縮手段１０２は、差分圧縮部１０３および画像圧縮部１０６からなる。
【００４１】
管理部１０９は、ＣＰＵ等からなり、画像処理装置１００全体の動作を制御する。これにより、画像処理装置１００に入力された画像情報群は、圧縮された後に印刷装置２００に送信される。
【００４２】
ネットワークＩ／Ｆ部１０８は、例えば、ＣＳＭＡ／ＣＤ方式の通信方式等を用いたインターフェースで、ＰＣ３００からの画像情報を汎用通信回線４０を介して受信する。
【００４３】
印刷装置Ｉ／Ｆ部１０７は、例えば、ＲＳ２３２Ｃ仕様のシリアル通信、あるいは、セントロニクス仕様のパラレル通信等を用いたインターフェースで、印刷装置２００へ、画像情報を専用通信回線１２を介して送信する。
【００４４】
画像圧縮部１０６は、専用の画像圧縮プロセッサからなり、符号化により、画像情報を圧縮する。ここでは、後述する基準画像情報群および差分画像情報群が圧縮される。
【００４５】
記憶部１０５は、ハードディスク等の、大容量メモリで、画像情報群を保存する画像メモリをなす。ここには、ＰＣ３００から送信された印刷ジョブ、すなわち文字コードからなる画像情報群が保存される。
【００４６】
基準画像情報記憶部１０４は、後述する差分演算の際に、差分の基準になる基準画像情報群が保存されるメモリである。このメモリは、演算の際に随時アクセスされるので、高速アクセス可能なＲＡＭ等が好ましい。
【００４７】
差分圧縮部１０３は、２つの画像情報間で差分演算を行う、専用プロセッサである。これにより、高速に差分演算を行い、多くの画像情報を短時間で処理することができる。
【００４８】
ラスタライズ処理部１１０は、文字コードの画像情報を、ビットマップに変換する専用プロセッサである。これにより、画像情報を高速にビットマップ化し、印刷に供することができる。
【００４９】
バス１１１は、上述した画像処理装置１００の各部で、画像情報を送受するための、制御バス、アドレスバスおよびデータバス等からなる。
【００５０】
つづいて、図４は、印刷装置２００の構成を示す機能ブロック図である。印刷装置２００は、伸張手段２０２、基準画像情報記憶部２０４、記憶部２０５、画像処理装置Ｉ／Ｆ部２０７、印刷部２０８、管理部１０９およびバス２１１を含む。ここで、伸張手段２０２は、差分伸張部２０３および画像伸張部２０６からなる。
【００５１】
管理部２０９は、ＣＰＵ等からなり、印刷装置２００全体の動作を制御する。これにより、印刷装置２００に入力された画像情報群は、復元された後に記録紙に印刷される。
【００５２】
画像処理装置Ｉ／Ｆ部２０７は、例えば、ＲＳ２３２Ｃ仕様のシリアル通信、あるいは、セントロニクス仕様のパラレル通信等を用いたインターフェースで、画像処理装置１００から、画像情報を専用通信回線１２を介して受信する。
【００５３】
画像伸張部２０６は、専用の画像伸張プロセッサで、符号化された画像情報を伸張する。ここでは、後述する圧縮された基準画像情報群および差分画像情報群が伸張される。なお、画像伸張部２０６は、画像処理装置１００の画像圧縮部１０６と対をなすもので、画像圧縮部１０６で圧縮された画像情報を伸張する。
【００５４】
記憶部１０５は、ハードディスク等の大容量メモリで、画像情報群を保存する画像メモリをなす。ここには、画像処理装置１００から送信される圧縮された画像情報群、さらには伸張し復元された、ビットマップ状の画像情報群が保存される。
【００５５】
基準画像情報記憶部１０４は、後述する合成演算の際に、合成の基準になる基準画像情報群が保存されるメモリである。このメモリは、合成の際に随時アクセスされるので、高速アクセス可能なＲＡＭ等が好ましい。
【００５６】
差分伸張部２０３は、２つの画像情報間で加算演算を行う、専用プロセッサである。これにより、高速に加算演算を行い、多くの画像情報を短時間で処理することができる。なお、差分伸張部２０３は、画像処理装置１００の差分圧縮部１０３と対をなすもので、差分圧縮部１０３で生成される差分画像情報群から元の画像情報群を生成する。
【００５７】
印刷部２０８は、記憶部２０５のビットマップ状の画像情報群を、記録紙に印刷する、インクジェット方式あるいは電子複写方式等の印刷機である。これにより、ＰＣ３００で生成された画像情報群が、記録紙上に印画される。
【００５８】
バス２１１は、上述した印刷装置２００の各部で、画像情報を送受するための、制御バス、アドレスバスおよびデータバス等からなる。
【００５９】
つぎに、本実施の形態にかかる画像処理装置１００の動作について、図５を用いて説明する。図５は、画像処理装置１００の動作を示すフローチャートである。まず、画像処理装置１００は、印刷ジョブをＰＣ３００から受信し、記憶部１０５に保存する（ステップＳ５０１）。この印刷ジョブは、バリアブル印刷等で生成された複数の画像情報群からなる。
【００６０】
図６に、印刷ジョブの一例を、模式的に示す。ここでは、複数の画像情報群が集合して、１つの印刷ジョブが形成される。個々の画像情報群は、１つのドキュメント体系をなし、画像情報群の構成単位であるページを、共通の指標として構成される。また、画像情報群同士は、類似しており、特に、複数の画像情報群の同一ページ同士は、画像情報が高い類似性を有している。例えば、バリアブル印刷の場合には、同一ページは、共通のテンプレートから構成されるので、非類似部分は、同一ページの一部分となる。そして、画像情報群の数は、類似の画像情報群を印刷する際の部数に対応する。なお、１つの画像情報群内の異なるページ間での類似性は、全く要求されない。
【００６１】
その後、図５に戻り、管理部１０９は、例えば最初の画像情報群を、基準画像情報群とし、記憶部１０５からラスタライズ処理部１１０に転送してラスタライズを行い、ビットマップに変換された基準画像情報群を、基準画像情報記憶部１０４に保存する（ステップＳ５０２）。
【００６２】
また、管理部１０９は、ビットマップに変換された基準画像情報群を、画像圧縮部１０６へも転送し、基準画像情報群の符号化された圧縮を行い、印刷装置Ｉ／Ｆ部１０７を介して、印刷装置２００へ圧縮された基準画像情報を転送する（ステップＳ５０３）。
【００６３】
その後、管理部１０９は、つぎの画像情報群を、ラスタライズ処理部１１０に転送してラスタライズを行う（ステップＳ５０４）。そして、ラスタライズ処理部１１０で生成されたビットマップ化された画像情報群を、差分圧縮部１０３に転送し、差分画像情報群を生成する（ステップＳ５０５）。図１（Ａ）に、この差分画像情報群の生成を、模式的に示す。ここで、差分圧縮部１０３は、ビットマップ化された画像情報群と、基準画像情報記憶部１０４の基準画像情報群との同一ページ同士の差分を行い、各ページごとの差分画像情報からなる同一ページ数の差分画像情報群を生成する。
【００６４】
その後、管理部１０９は、差分画像情報群を、差分圧縮部１０３から画像圧縮部１０６に転送し、符号化により圧縮された差分画像情報群とし、さらに圧縮された差分画像情報群を、印刷装置Ｉ／Ｆ部１０７を介して、印刷装置２００へ転送する（ステップＳ５０６）。
【００６５】
その後、管理部１０９は、印刷ジョブに含まれるすべての画像情報群を、差分および圧縮の後に、印刷装置２００に転送したかどうかを判定する（ステップＳ５０７）。そして、すべての画像情報群を転送していない場合には（ステップＳ５０７否定）、ステップＳ５０４に移行し、転送していないつぎの画像情報群に対して、ステップＳ５０４〜Ｓ５０６の処理を繰り返す。また、すべての画像情報群を転送し終わった場合には（ステップＳ５０７肯定）、画像処理装置１００の動作を終了する。
【００６６】
なお、以上のラスタライズ処理部１１０および圧縮手段１０２では、画像情報群ごとに処理を行うこととしたが、画像情報群の構成単位であるページごとあるいはさらに小さな単位に画像情報を分割し、順次同様の処理を行うことで、ラスタライズ処理部１１０および圧縮手段１０２の負荷の軽減および高速化を図ることもできる。
【００６７】
つづいて、本実施の形態にかかる印刷装置２００の動作について、図７を用いて説明する。図７は、印刷装置２００の動作を示すフローチャートである。まず、印刷装置２００は、圧縮された基準画像情報群を、画像処理装置１００から受信し、記憶部２０５に保存する（ステップＳ７０１）。なお、この処理は、図５に示す画像処理装置１００のステップＳ５０３の動作に後続する。
【００６８】
その後、管理部２０９は、記憶部２０５の圧縮された基準画像情報群を、画像伸張部２０６に転送し、伸張を行う（ステップＳ７０２）。そして、伸張されたビットマップ状の基準画像情報群は、基準画像情報記憶部２０４に保存されると同時に、印刷部２０８にも転送され、記録紙に印刷される（ステップＳ７０３）。
【００６９】
その後、印刷装置２００は、圧縮された差分画像情報群を、画像処理装置１００から受信し、記憶部２０５に保存する（ステップＳ７０４）。なお、この処理は、図５に示す画像処理装置１００のステップＳ５０６の動作に後続する。
【００７０】
その後、管理部２０９は、圧縮された差分画像情報群を、記憶部２０５から画像伸張部２０６に転送し、伸張を行う（ステップＳ７０５）。そして、伸張された差分画像情報群は、差分伸張部２０３に転送され、元になる画像情報群を復元する（ステップＳ７０６）。図１（Ｂ）に、この差分画像情報群から元になった画像情報群への復元を、模式的に示す。ここで、差分伸張部２０３は、ビットマップ化された差分画像情報群と、基準画像情報記憶部２０４の基準画像情報群との同一ページ同士の加算を行い、各ページごとの画像情報からなる同一ページ数の、元になった画像情報群を復元する。
【００７１】
その後、管理部２０９は、元になった画像情報群を、印刷部２０８に転送し、記録紙に印刷する（ステップＳ７０７）。そして、管理部２０９は、すべての画像情報群を印刷したかどうかを判定し（ステップＳ７０８）、すべての画像情報群を印刷していない場合には（ステップＳ７０８否定）、ステップＳ７０４に移行して圧縮された差分画像情報群を受信し、ステップＳ７０５〜Ｓ７０７の処理を繰り返す。また、すべての画像情報群を印刷した場合には（ステップＳ７０８肯定）、本処理を終了する。
【００７２】
なお、以上の伸張手段２０２では、画像情報群ごとに処理を行うこととしたが、画像情報群の構成単位であるページごとあるいはさらに小さな単位に画像情報を分割し、順次同様の処理を行うことで、伸張手段２０２の負荷の軽減および高速化を図ることもできる。
【００７３】
上述してきたように、本実施の形態では、画像処理装置１００に差分圧縮部１０３、そして印刷装置２００に差分伸張部２０３を設け、差分圧縮部１０３で、画像情報群と基準画像情報群との同一ページごとの差分から差分画像情報群を生成し、差分伸張部２０３で、差分画像情報群と基準画像情報群との同一ページごとの加算から元の画像情報群を復元することとしているので、バリアブル印刷等の同一ページごとに類似する複数のビットマップ状の画像情報群を、効果的に差分圧縮し、印刷装置２００にある記憶部２０５の記憶容量の軽減あるいは低価格化を図ることができる。
【００７４】
また、本実施の形態では、画像処理装置１００および印刷装置２００は、専用通信回線で接続される分離独立した装置であるとしたが、一体のものとすることもできる。
【００７５】
また、本実施の形態では、画像処理装置１００は、ＰＣ３００から汎用通信回線を用いて画像情報群を受信することとしたが、画像処理装置１００自体に、画像情報群の生成手段を設けることもできる。
【００７６】
また、本実施の形態では、画像処理装置１００および印刷装置２００は、専用通信回線で接続されるようにしたが、汎用通信回線を用いてネットワーク上で接続されるようにすることもできる。
【図面の簡単な説明】
【００７７】
【図１】図１（Ａ）は差分画像情報群の生成を模式的に示す図であり、図１（Ｂ）は元になった画像情報群への復元を模式的に示す図である。
【図２】画像圧縮伸張システムの全体構成を示す図である。
【図３】画像処理装置の全体構成を示すブロック図である。
【図４】印刷装置の全体構成を示すブロック図である。
【図５】画像処理装置の動作を示すフローチャートである。
【図６】実施の形態の印刷ジョブを示す模式図である。
【図７】印刷装置の動作を示すフローチャートである。
【符号の説明】
【００７８】
１  画像圧縮伸張システム
１１  操作パネル
１２  専用通信回線
４０  汎用通信回線
１００  画像処理装置
１０２  圧縮手段
１０３  差分圧縮部
１０４、２０４  基準画像情報記憶部
１０５、２０５  記憶部
１０６  画像圧縮部
１０７  印刷装置Ｉ／Ｆ部
１０８  ネットワークＩ／Ｆ部
１０９、２０９  管理部
１１０  ラスタライズ処理部
１１１、２１１  バス
２００  印刷装置
２０２  伸張手段
２０３  差分伸張部
２０６  画像伸張部
２０７  画像処理装置Ｉ／Ｆ部
２０８  印刷部
３００  ＰＣ（パーソナルコンピュータ）
【図１】
2005167537.tif 000003
【図２】
2005167537.tif 000004
【図３】
2005167537.tif 000005
【図４】
2005167537.tif 000006
【図５】
2005167537.tif 000007
【図６】
2005167537.tif 000008
【図７】
2005167537.tif 000009